(57)【要約】【課題】  対流熱対策，伝導熱対策，輻射熱対策，表面結露対策に優れ、かつ、作業性に優れた遮熱建築物の構築方法および遮熱建築物を提供すること。【解決手段】柱・間柱、軒桁および土台の屋外側にアルミ熱線反射材を取り付け、前記反射材の屋外側に通気胴縁を取り付け、前記反射材の屋内側で前記間隔区画内に、硬質ウレタン樹脂発泡性液を現場で発泡吹き付け、通気胴縁の屋外側に外壁仕上げ材を取り付け、間柱の屋内側に内壁下地を取り付け、該内壁下地の屋内側に内壁仕上げ材を取り付ける。アルミ熱線反射材はシート状で、最下部の第１番目で、土台、柱、間柱で固定し、下から２番目において、１番目の反射材の上端部に外側から重ね、第１番目と同様にして柱、間柱で固定し、以下同様に下から上方へ第ｎ番目で、反射材を胴差または軒桁と柱、間柱で固定する。同様の天井構造と小屋裏構造。【選択図】    図１
2014077244.tif 000002
【特許請求の範囲】
【請求項１】
柱・間柱、軒桁および土台の屋外側にアルミ熱線反射材を取り付ける工程と、該アルミ熱線反射材の屋外側に通気胴縁を間隔を存して取り付ける工程と、
前記アルミ熱線反射材の屋内側で前記間隔区画内に、硬質ウレタン樹脂発泡性液を現場で発泡させて吹き付ける工程と、該通気胴縁の屋外側に外壁仕上げ材を取り付ける工程と、前記間柱の屋内側に内壁下地を取り付ける工程と、該内壁下地の屋内側に内壁仕上げ材を取り付ける工程とを含み、
前記アルミ熱線反射材はシート状のものを使用し、最下部の第１番目において、左または右端からアルミ熱線反射材を柱に固定し、土台、柱、間柱で固定し、下から２番目において、１番目のアルミ熱線反射材の上端部に外側から重ね、第１番目と同様にして柱、間柱で固定し、以下同様にして、下から上方へ第ｎ番目において、アルミ熱線反射材を胴差または軒桁と柱、間柱で固定することを特徴とする遮熱建築物の構築方法。
【請求項２】
天井下地材の小屋裏側にアルミ熱線反射材を取り付ける工程と、
前記アルミ熱線反射材の屋内側で前記天井下地材の間隔区画内に、硬質ウレタン樹脂発泡性液を現場で発泡させて吹き付ける工程と、該天井下地材の屋内側に天井仕上げ材を取り付ける工程とを含み、
前記アルミ熱線反射材はシート状のものを使用し、軒側の第１番目において、シートを天井下地材に合わせて左または右端から、アルミ熱線反射材を天井下地材に固定し、軒側から２番目において、１番目のアルミ熱線反射材の端部に外側から重ね、第１番目と同様にして天井下地材で固定し、以下同様にして、軒側から反軒側へ第ｎ番目において、アルミ熱線反射材を天井下地材で固定することを特徴とする遮熱建築物の構築方法。
【請求項３】
垂木の屋外側で棟木から軒桁までの部分にアルミ熱線反射材を取り付けるに際し、軒桁部分で前記反射材が垂木に接している部分の垂木の両側面に対応する部分を切断し、隣り合う垂木間で反射材を垂れ下げ、その下端縁を軒桁の屋外側に取り付けるようにした、アルミ熱線反射材を取り付ける工程と、該アルミ熱線反射材の屋外側に通気胴縁を間隔を存して取り付ける工程と、該通気胴縁の屋外側に野地板を取り付ける工程と、該野地板の屋外側にルーフィングを取り付ける工程と、該ルーフィングの屋外側に屋根仕上げ材を取り付ける工程と、前記反射材の垂下部分と垂木側面との境界部に気密テープを貼る工程と、前記アルミ熱線反射材の小屋裏側で前記垂木の間隔区画内に、硬質ウレタン樹脂発泡性液を現場で発泡させて吹き付ける工程とを含み、
前記アルミ熱線反射材はシート状のものを使用し、最下部の第１番目において、シートを屋根傾斜に合わせて傾斜させた状態で左または右端から、前記アルミ熱線反射材を垂木に固定し、下から２番目において、１番目のアルミ熱線反射材の上端部に外側から重ね、第１番目と同様にして垂木で固定し、以下同様にして、下から上方へ第ｎ番目において、アルミ熱線反射材を棟木で固定することを特徴とする遮熱建築物の構築方法。
【請求項４】
柱・間柱、軒桁および土台の屋外側に取り付けられたアルミ熱線反射材と、該アルミ熱線反射材の屋外側に間隔を存して取り付けられた通気胴縁と、該通気胴縁の屋外側に取り付けられた外壁仕上げ材と、前記アルミ熱線反射材の屋内側で前記間隔区画内に、現場で発泡させて吹き付けられた硬質ウレタン樹脂発泡層と、前記柱・間柱の屋内側に取り付けられた内壁下地と、該内壁下地の屋内側に取り付けられた内壁仕上げ材とを含み、
前記アルミ熱線反射材は、最下部の第１番目において、左端および右端で柱に固定され、中間で土台、柱、間柱で固定され、下から２番目において、１番目のアルミ熱線反射材の上端部に外側から重ねられ、第１番目と同様にして柱、間柱で固定され、以下同様にして、下から上方へ第ｎ番目において、胴差または軒桁と柱、間柱で固定されていることを特徴とする遮熱建築物。
【請求項５】
天井下地材の小屋裏側に取り付けられたアルミ熱線反射材と、
前記アルミ熱線反射材の屋内側で前記天井下地材の間隔区画内に、現場で発泡させて吹き付けられた硬質ウレタン樹脂発泡層と、該天井下地材の屋内側に取り付けられた天井仕上げ材とを含み、
前記アルミ熱線反射材は、軒側の第１番目において、左端および右端から、天井下地材に固定され、軒側から２番目において、１番目のアルミ熱線反射材の端部に外側から重ねられ、第１番目と同様にして天井下地材で固定され、以下同様にして、軒側から反軒側へ第ｎ番目において、天井下地材で固定されたことを特徴とする遮熱建築物。
【請求項６】
棟木と軒桁間に張り渡された垂木の屋外側で、棟木から軒桁までの部分、および隣り合う垂木間の軒桁部分で軒桁の屋外側へ取り付けられたアルミ熱線反射材と、該アルミ熱線反射材の屋外側に間隔を存して取り付けられた通気胴縁と、該通気胴縁の屋外側に取り付けられた野地板と、該野地板の屋外側に取り付けられたルーフィングと、該ルーフィングの屋外側に取り付けられた屋根仕上げ材と、前記反射材の垂下部分と垂木側面との境界部に張り付けられた気密テープと、前記アルミ熱線反射材の小屋裏側で前記垂木の間隔区画内に、現場で発泡させて吹き付けられた硬質ウレタン樹脂発泡層とを含み、
前記アルミ熱線反射材は、最下部の第１番目において、左または右端から垂木に固定され、下から２番目において、１番目のアルミ熱線反射材の上端部に外側から重ねられ、第１番目と同様にして垂木で固定され、以下同様にして、下から上方へ第ｎ番目において、垂木と棟木で固定されたことを特徴とする遮熱建築物。
【発明の詳細な説明】
【技術分野】
【０００１】
本発明は、遮熱建築物の構築方法および遮熱建築物に関するものである。
【背景技術】
【０００２】
従来の建築用断熱材料として、第１例で、グラスウール，ウレタンボードのような発泡系の断熱材またはアルミの遮熱材がある。第２例で、発泡系ボードの表面にアルミ素材等を張り合わせたボードが流通している。また第３例は本出願人が開発し特許を取得したものに使用されているもので、樹脂系気泡シートとアルミニウム箔の結合されたアルミ熱線反射材である（特許文献１）。
【先行技術文献】
【特許文献】
【０００３】
【特許文献１】特許第４２２６５８８号公報
【発明の概要】
【発明が解決しようとする課題】
【０００４】
しかしながら、第１例のものは対流熱対策，伝導熱対策，輻射熱対策，表面結露対策等にそれぞれ欠点がある。第２例のものは  作業性が悪く、ごみが大量に発生する。また、外張り断熱工法に使用した場合、断熱材の厚みが増す毎にビスの効果が少なくなり、支持体に問題が生じる。そのうえ、気密性能を上げるためには、ボードの互いに隣り合う突き合わせ部に気密テープを貼るので、手間と費用がかかることになる。
第３例のものは、シートを柱の屋外側に貼り付けてその屋外側に桟を釘で打ち付けるとき、シートの気泡のため、気泡がへこんで桟が曲がるおそれがある。  
【０００５】
本発明は上記課題を解決し、対流熱対策，伝導熱対策，輻射熱対策，表面結露対策に優れ、かつ、作業性に優れた遮熱建築物の構築方法および遮熱建築物を提供することを目的とする。
【課題を解決するための手段】
【０００６】
本発明は、アルミ熱線反射材を取り付けた後に、樹脂発泡性液を現場で発泡させ吹き付ける断熱樹脂発泡層を形成する、複合体工法に係わる。これにより、断熱材料個々の欠点を補うので、高性能な断熱性能が期待できる。断熱，遮熱，保温，電磁波の軽減を必要とする箇所に適用し、住環境改善および省エネ・結露対策・温熱環境改善に貢献する。
【０００７】
即ち、本発明の第１課題解決手段の方法は遮熱建築物の構築方法であり、柱・間柱、軒桁および土台の屋外側にアルミ熱線反射材を取り付ける工程と、該アルミ熱線反射材の屋外側に通気胴縁を間隔を存して取り付ける工程と、前記アルミ熱線反射材の屋内側で前記間隔区画内に、硬質ウレタン樹脂発泡性液を現場で発泡させて吹き付ける工程と、該通気胴縁の屋外側に外壁仕上げ材を取り付ける工程と、前記間柱の屋内側に内壁下地を取り付ける工程と、該内壁下地の屋内側に内壁仕上げ材を取り付ける工程とを含む。
そして、前記アルミ熱線反射材はシート状のものを使用し、最下部の第１番目において、左または右端からアルミ熱線反射材を柱に固定し、土台、柱、間柱で固定し、下から２番目において、１番目のアルミ熱線反射材の上端部に外側から重ね、第１番目と同様にして柱、間柱で固定し、以下同様にして、下から上方へ第ｎ番目において、アルミ熱線反射材を胴差または軒桁と柱、間柱で固定することである。
【０００８】
本発明の第２課題解決手段の方法は遮熱建築物の構築方法であり、天井下地材の小屋裏側にアルミ熱線反射材を取り付ける工程と、前記アルミ熱線反射材の屋内側で前記天井下地材の間隔区画内に、硬質ウレタン樹脂発泡性液を現場で発泡させて吹き付ける工程と、該天井下地材の屋内側に天井仕上げ材を取り付ける工程とを含む。
そして、前記アルミ熱線反射材はシート状のものを使用し、軒側の第１番目において、シートを天井下地材に合わせて左または右端から、アルミ熱線反射材を天井下地材に固定し、軒側から２番目において、１番目のアルミ熱線反射材の端部に外側から重ね、第１番目と同様にして天井下地材で固定し、以下同様にして、軒側から反軒側へ第ｎ番目において、アルミ熱線反射材を天井下地材で固定することである。
【０００９】
本発明の第３課題解決手段の方法は遮熱建築物の構築方法であり、垂木の屋外側で棟木から軒桁までの部分にアルミ熱線反射材を取り付けるに際し、軒桁部分で前記反射材が垂木に接している部分の垂木の両側面に対応する部分を切断し、隣り合う垂木間で反射材を垂れ下げ、その下端縁を軒桁の屋外側に取り付けるようにした、アルミ熱線反射材を取り付ける工程と、該アルミ熱線反射材の屋外側に通気胴縁を間隔を存して取り付ける工程と、該通気胴縁の屋外側に野地板を取り付ける工程と、該野地板の屋外側にルーフィングを取り付ける工程と、該ルーフィングの屋外側に屋根仕上げ材を取り付ける工程と、前記反射材の垂下部分と垂木側面との境界部に気密テープを貼る工程と、前記アルミ熱線反射材の小屋裏側で前記垂木の間隔区画内に、硬質ウレタン樹脂発泡性液を現場で発泡させて吹き付ける工程とを含む。
そして、前記アルミ熱線反射材はシート状のものを使用し、最下部の第１番目において、シートを屋根傾斜に合わせて傾斜させた状態で左または右端から、アルミ熱線反射材を垂木に固定し、下から２番目において、１番目のアルミ熱線反射材の上端部に外側から重ね、第１番目と同様にして垂木で固定し、以下同様にして、下から上方へ第ｎ番目において、アルミ熱線反射材を棟木で固定することである。
【００１０】
本発明の第４課題解決手段は遮熱建築物であり、柱・間柱、軒桁および土台の屋外側に取り付けられたアルミ熱線反射材と、該アルミ熱線反射材の屋外側に間隔を存して取り付けられた通気胴縁と、該通気胴縁の屋外側に取り付けられた外壁仕上げ材と、前記アルミ熱線反射材の屋内側で前記間隔区画内に、現場で発泡させて吹き付けられた硬質ウレタン樹脂発泡層と、前記柱・間柱の屋内側に取り付けられた内壁下地と、該内壁下地の屋内側に取り付けられた内壁仕上げ材とを含む。
そして、前記アルミ熱線反射材は、最下部の第１番目において、左端および右端で柱に固定され、中間で土台、柱、間柱で固定され、下から２番目において、１番目のアルミ熱線反射材の上端部に外側から重ねられ、第１番目と同様にして柱、間柱で固定され、以下同様にして、下から上方へ第ｎ番目において、胴差または軒桁と柱、間柱で固定されている。
【００１１】
本発明の第５課題解決手段は遮熱建築物であり、天井下地材の小屋裏側に取り付けられたアルミ熱線反射材と、前記アルミ熱線反射材の屋内側で前記天井下地材の間隔区画内に、現場で発泡させて吹き付けられた硬質ウレタン樹脂発泡層と、該天井下地材の屋内側に取り付けられた天井仕上げ材とを含む。
そして、前記アルミ熱線反射材は、軒側の第１番目において、左端および右端から、天井下地材に固定され、軒側から２番目において、１番目のアルミ熱線反射材の端部に外側から重ねられ、第１番目と同様にして天井下地材で固定され、以下同様にして、軒側から反軒側へ第ｎ番目において、天井下地材で固定される。
【００１２】
本発明の第６課題解決手段は遮熱建築物であり、棟木と軒桁間に張り渡された垂木の屋外側で、棟木から軒桁までの部分、および隣り合う垂木間の軒桁部分で軒桁の屋外側へ取り付けられたアルミ熱線反射材と、該アルミ熱線反射材の屋外側に間隔を存して取り付けられた通気胴縁と、該通気胴縁の屋外側に取り付けられた野地板と、該野地板の屋外側に取り付けられたルーフィングと、該ルーフィングの屋外側に取り付けられた屋根仕上げ材と、前記反射材の垂下部分と垂木側面との境界部に張り付けられた気密テープと、前記アルミ熱線反射材の小屋裏側で前記垂木の間隔区画内に、現場で発泡させて吹き付けられた硬質ウレタン樹脂発泡層とを含む。
そして、前記アルミ熱線反射材は、最下部の第１番目において、左または右端から垂木に固定され、下から２番目において、１番目のアルミ熱線反射材の上端部に外側から重ねられ、第１番目と同様にして垂木で固定され、以下同様にして、下から上方へ第ｎ番目において、垂木と棟木で固定される。
【００１３】
前記方法において、前記アルミ熱線反射材はロール状に巻かれたものを使用し、取付面に応じて、ロールを立てた状態、または横転させた状態、または傾斜させた状態で、ロールを繰り出して固定する。また、ロール状に巻かれたものから、取付面に応じて、シート状に予め切断しておき、このシート状のものを固定する方法も含まれる。
【発明の効果】
【００１４】
本発明は、アルミ熱線反射材と、硬質ウレタン樹脂発泡性液を現場で発泡させ吹き付けて断熱樹脂発泡層を形成することを組み合わせることにより、対流熱，伝導熱，輻射熱の３種類の熱移動に対し、断熱，遮熱，保温の性能を発揮することとなった。
【００１５】
また、アルミ熱線反射材に樹脂発泡性液を現場で発泡吹き付けることにより、作業性がよく、ゴミがほとんど発生しない。また、アルミ熱線反射材は、外張り断熱工法の扱いとなるが、厚みが薄いので、支持体に問題が生じにくくなる。また、現場で吹き付けることにより、発泡しながら隙間が埋まっていくこととなり、気密性能を簡単に上げることができる。
【００１６】
しかも、アルミ熱線反射材に気泡がないので、柱の屋外側にアルミ熱線反射材を取り付けに桟を釘で打ち付けるとき、シートの気泡のため、気泡がへこんで桟が曲がることもない。
【００１７】
アルミ熱線反射材は下から２番目において、１番目のアルミ熱線反射材の上端部に外側から重ね、以下同様にして、下ものの上端部に外側から上のものを重ねる。
したがって、もし水滴が侵入してきても、水滴がアルミ熱線反射材の裏側に侵入せず、下方に排出される。
【００１８】
また、アルミ熱線反射材は薄いので重ねても厚くはならず、桟などの取りつけに
支障をきたさない。アルミ熱線反射材の重ね幅を広くできるので、発砲樹脂の吹き付けに際し、吹き付け圧力や反射材の伸縮性により、重ね部分から発泡剤が外側に出てくることが防止できる。このため、この部分での気密テープの貼り付けを省略でき、資材と手間が節約できる。
【図面の簡単な説明】
【００１９】
【図１】壁構造の縦断面図である。
【図１ａ】壁へのアルミ熱線反射材取付け工程の説明図である。
【図２】天井構造の縦断面図である。
【図３】小屋裏構造の縦断面図である。
【発明を実施するための形態】
【００２０】
以下に本発明の一実施例を木造在来工法の例にとって図面にもとづき説明する。
図１は壁構造１０を示したものである。柱・間柱１１，胴差しＡ３，土台Ａ２にわたり、屋外側にアルミ熱線反射材１をタッカー等で取り付ける。土台の下半部には水切り１６が取り付けられ、その外側に前記反射材１が垂下した状態となる。
【００２１】
ここで、アルミ熱線反射材１はロール状に巻かれたものを使用し、図１ａに示すように、最下部の第１番目１ａにおいて、ロールを立てた状態で左または右端からアルミ熱線反射材を柱に固定し、ロールを繰り出し、柱、間柱で固定する。次に下から２番目にお１ｂいて、１番目のアルミ熱線反射材の上端部に外側から重ね（重ね部Ｈ）固定し、第１番目と同様にして柱、間柱で固定する。以下同様にして、上方へ第３番目、第４番目、……第ｎ番目のアルミ熱線反射材を柱、間柱で固定する。左右方向の中間で固定するときは、柱、間柱で固定し、そのアルミ熱線反射材の端部に対して第２のロールのアルミ熱線反射材の端部を重ね（重ね部Ｖ）固定する。
【００２２】
アルミ熱線反射材１として、遮熱性、防水性を持つアルミシートが使用され、
厚さ：  約  １ｍｍである。この製品を使用した場合、アルミ熱線反射材の上端部に外側から重ねる幅Ｈは  ９０ｍｍ以上である。また、左右端で重ねる幅Ｖは１５０
ｍｍ以上である。（後記の天井構造および小屋裏構造にも適用される）
【００２３】
次に、該アルミ熱線反射材の屋外側で前記柱に、上下に長い通気胴縁１２を左右に間隔を存して取り付ける。
【００２４】
そして、前記アルミ熱線反射材１の屋内側で、前記間柱１１の間隔区画内と軒桁（又は胴差し）と土台Ａ２の間に、樹脂発泡性液を現場で発泡させて吹き付ける。
【００２５】
即ち、例えば、次のような原料を使って、スプレー発泡機を使って行われる。（後記の天井構造および小屋裏構造にも適用される）
○原料：硬質ウレタン  品名：フオームライトＨＮＢ−６２００Ｊ、
組成（容量比）ポリオール成分  １００、イソシアネート成分  １００、
発泡剤：ＨＦＣ−２４５ｆｃ、  ＪＩＦＣ−３６５ｍｆｃ
○スプレー機械：ＧＵＳＭＥＲ  ＦＦ−１６００
○製造販売者：ビーエーエスエフ  イノアック（ＢＡＳＦ  ＩＮＯＡＣ）
ポリウレタン株式会社、住所：愛知県新城市川田字本宮道１−１９６
【００２６】
ここで、発泡樹脂の吹き付けに際し、吹き付け圧力や反射材１の伸縮性により、反射材の重ね合わせ部分が屋外側に過度に膨らむ場合は、屋外側から作業者が桟などをあてがって防止すればよい。場合によっては気密テープを貼ってもよいが、必ずしも必要ない。
【００２７】
また、発泡樹脂の吹き付けに際し、吹き付け圧力や反射材１の伸縮性により、反射材が取り付けられる柱，軒桁，土台等の面との間に吹き付け樹脂が侵入すれば、そこで発泡してその部分を外側へ不都合に膨張させてしまう。そのような恐れがあるときは、吹き付け作業の前に、それらの境界部に気密テープを貼り付けるとよいが、必ずしも張り付けなくてもよい。また、タッカー（ホッチキス針）で止めるときのタッカー同志の間隔を狭くすればよいが、この場合、タッカーを含めてその周囲をアルミ箔の防水テープを貼り付ければよい。
【００２８】
次に、該通気胴縁の屋外側で前記通気胴縁に外壁仕上げ材１３を取り付ける。
次いで、前記間柱１１，軒桁Ａ５，胴差しＡ３，土台Ａ２にわたり、その屋内側に内壁下地１４を取り付け、該内壁下地の屋内側に内壁仕上げ材１５を取り付ける。
【００２９】
この結果、できあがった壁構造１０は次のとおりである。間柱１１の屋外側に取り付けられたアルミ熱線反射材１と、該アルミ熱線反射材の屋外側に間隔を存して取り付けられた通気胴縁１２と、該通気胴縁の屋外側に取り付けられた外壁仕上げ材１３と、前記アルミ熱線反射材１の屋内側で前記間柱１１の間隔区画内に、現場で発泡させて吹き付けられた樹脂発泡層２と、前記間柱の屋内側に取り付けられた内壁下地１４と、該内壁下地の屋内側に取り付けられた内壁仕上げ材１５とを含む。
【００３０】
前記アルミ熱線反射材は、最下部の第１番目において、左端および右端で柱に固定され、中間で土台、柱、間柱で固定され、下から２番目において、１番目のアルミ熱線反射材の上端部に外側から重ねられ、第１番目と同様にして柱、間柱で固定され、
以下同様にして、下から上方へ第ｎ番目において、胴差または軒桁と柱、間柱で固定されている。
【００３１】
このような壁構造１０において、通気胴縁１２によって上下で外気に通じた空気層１２ａが、外壁仕上げ材１３とアルミ熱線反射材１の間隔内（約１５ｍｍ以上〜約４０ｍｍ）に形成される。従って、この空気層（空間）の存在により、屋外側からの伝わってきた熱による熱線がアルミ熱線反射材１で反射（約９５％反射）される。もし、この空間がなければ、外部からの熱は熱伝導として屋内側へ移動してしまう。また、空気層の熱は上方気流によって上部から逃れるので、熱が蓄積されることはない。また、湿気がたまって胴縁を腐らせることもない。
【００３２】
ここで、アルミ熱線反射材だけでは熱の伝導，対流に効果は少なく、結露が生じる。発泡樹脂層だけでは、熱線の反射が少ないので、熱吸収して伝導する。本発明では、両者の各々の欠点を互いに補い、各々の利点を有する極めて優れた効果を発揮することとなった。静止した空気層では、太陽熱（特に夏）で熱がたまって高温度となり、また、湿気もたまり、胴縁を腐らすことになる。
【００３３】
図２は、天井構造２０を示したものである。碁盤目状の桟からなる天井下地材２１の小屋裏側にアルミ熱線反射材１を取り付ける。前記図１ａに示す壁構造１０の場合と同様に、前記アルミ熱線反射材はロール状に巻かれたものを使用し、軒側の第１番目において、ロールを天井下地材に合わせて横転させた状態で左または右端から、アルミ熱線反射材をロールを繰り出して天井下地材に固定し、軒側から２番目において、１番目のアルミ熱線反射材の端部に外側から重ね、第１番目と同様にして天井下地材で固定し、以下同様にして、軒側から反軒側へ第ｎ番目において、アルミ熱線反射材を天井下地材で固定する。
【００３４】
前記アルミ熱線反射材の屋内側で前記天井下地材２１の間隔区画内に、硬質ウレタン原液を現場で発泡させて吹き付ける。該天井下地材２１の屋内側に天井仕上げ材２２を取り付ける。
【００３５】
この結果できあがった天井構造２０は次のとおりである。天井下地材２１の小屋裏側に取り付けられたアルミ熱線反射材１と、前記アルミ熱線反射材の屋内側で前記天井下地材２１の間隔区画内に、現場で発泡させて吹き付けられた樹脂発泡層２と、該天井下地材の屋内側に取り付けられた天井仕上げ材２２とを含む。
【００３６】
前記アルミ熱線反射材は、軒側の第１番目において、左端および右端から、天井下地材に固定され、軒側から２番目において、１番目のアルミ熱線反射材の端部に外側から重ねられ、第１番目と同様にして天井下地材で固定され、以下同様にして、軒側から反軒側へ第ｎ番目において、天井下地材で固定される。
【００３７】
図３は小屋裏構造３０を示したものである。棟木Ａ７と軒桁Ａ５間に張り渡された垂木３１の屋外側で、棟木Ａ７から軒桁Ａ５までの部分にアルミ熱線反射材１を取り付ける。即ち、前記図１ａに示す壁構造の場合と同様に、下から２番目において、１番目のアルミ熱線反射材の上端部に外側から重ね固定し、第１番目と同様にして垂木３１に固定する。以下同様にして、上方へ第３番目、第４番目、……第ｎ番目のアルミ熱線反射材を垂木３１に固定する。
【００３８】
このとき、軒桁部分で、反射材１が垂木３１に接している部分の垂木の両側面に対応する部分が切断され、隣り合う垂木間で反射材１が垂れ下げられ、その下端縁付近が軒桁の屋外側へ取り付けられる。そして、この反射材１の垂下部分と垂木側面との境界部には、場合によって気密テープが貼られる。
【００３９】
該アルミ熱線反射材の屋外側で、垂木に通気胴縁３２を間隔を存して取り付ける。該通気胴縁の屋外側に野地板３３を取り付ける。該野地板の屋外側にルーフィング３４を取り付ける。該ルーフィングの屋外側に屋根仕上げ材３５を取り付ける。前記アルミ熱線反射材１の小屋裏３０側で、前記垂木３１の間隔区画内で棟木から軒桁の反射材垂下部まで、硬質ウレタン原液を現場で発泡させて吹き付ける。
【００４０】
この結果できあがった小屋裏構造３０は次のとおりである。垂木３１の屋外側に取り付けられたアルミ熱線反射材１と、該アルミ熱線反射材の屋外側に間隔を存して取り付けられた通気胴縁３２と、該通気胴縁の屋外側に取り付けられた野地板３３と、該野地板の屋外側に取り付けられたルーフィング３４と、該ルーフィングの屋外側に
取り付けられた屋根仕上げ材３５と、前記アルミ熱線反射材１の小屋裏３０側で前記垂木３１の間隔区画内に、現場で発泡させて吹き付けられた樹脂発泡層２とを含む。棟の上側には、通気胴縁３２の上昇気流を外気へ逃すため、公知の換気棟瓦３６が取り付けられる。
【００４１】
ここで、前記アルミ熱線反射材は、最下部の第１番目において、左または右端から垂木に固定され、下から２番目において、１番目のアルミ熱線反射材の上端部に外側から重ねられ、第１番目と同様にして垂木で固定され、以下同様にして、下から上方へ第ｎ番目において、垂木と棟木で固定される。
【００４２】
前記では、前記アルミ熱線反射材はロール状に巻かれたものを使用し、取付面に応じて、ロールを立てた状態、または横転させた状態、または傾斜させた状態で、ロールを繰り出して固定している。しかし、ロール状に巻かれたものから、取付面に応じて、シート状に予め切断しておき、このシート状のものを固定する方法もある。
【００４３】
即ち、壁構造１０において、前記アルミ熱線反射材１はシート状のものを使用し、最下部の第１番目において、左または右端からアルミ熱線反射材を柱１１に固定し、土台、柱、間柱で固定し、下から２番目において、１番目のアルミ熱線反射材の上端部に外側から重ね、第１番目と同様にして柱、間柱１１で固定し、以下同様にして、下から上方へ第ｎ番目において、アルミ熱線反射材を胴差Ａ３または軒桁Ａ５と柱、間柱１１で固定する。
【００４４】
天井構造２０において、前記アルミ熱線反射材１はシート状のものを使用し、軒側の第１番目において、シートを天井下地材２１に合わせて左または右端から、アルミ熱線反射材を天井下地材２１に固定し、軒側から２番目において、１番目のアルミ熱線反射材の端部に外側から重ね、第１番目と同様にして天井下地材で固定し、以下同様にして、軒側から反軒側へ第ｎ番目において、アルミ熱線反射材を天井下地材に固定する。
【００４５】
小屋裏構造３０において、前記アルミ熱線反射材１はシート状のものを使用し、最下部の第１番目において、シートを屋根傾斜に合わせて傾斜させた状態で左または右端から、アルミ熱線反射材を垂木３１に固定し、下から２番目において、１番目のアルミ熱線反射材の上端部に外側から重ね、第１番目と同様にして垂木３１に固定し、以下同様にして、下から上方へ第ｎ番目において、アルミ熱線反射材を棟木Ａ７に固定する。
【００４６】
本発明は前記した実施例や実施態様に限定されず、特許請求の範囲を逸脱せずに種々の変形を含む。
【産業上の利用可能性】
【００４７】
本発明は遮熱建築物の構築方法および遮熱建築物、また、断熱，遮熱，保温，電磁波の軽減を必要とする種々な用途に利用できる。
【符号の説明】
【００４８】
Ａ１  基礎
Ａ２  土台
Ａ３  胴差し
Ａ４  床梁
Ａ５  軒桁
Ａ６  小屋梁
Ａ７  棟木
１  アルミ熱線反射材
２  樹脂発泡層
１０  壁
１１  間柱
１２  通気胴縁
１２ａ  通気層
１３  外壁仕上げ材
１４  内壁下地
１５  内壁仕上げ材
１６  水切り
２０  天井
２１  天井下地材
２２  天井仕上げ材
３０  小屋裏
３１  垂木
３２  通気胴縁
３３  野地板
３４  ルーフィング
３５  屋根仕上げ材
３６  換気棟瓦
【図１】
2014077244.tif 000003
【図１ａ】
2014077244.tif 000004
【図２】
2014077244.tif 000005
【図３】
2014077244.tif 000006